(57)【要約】  あるバンドに、他のバンドの信号が混入してしまうことが抑制された積層型トリプレクサを提供する。  共通端子と第１フィルタとの間に第１コイルＬ１が接続され、共通端子と第２フィルタとの間に第２コイルＬ２が接続され、共通端子と第３フィルタとの間に第３コイルＬ３が接続され、第１コイルＬ１、第２コイルＬ２、第３コイルＬ３は、それぞれ、積層体の基材層の層間に形成されたコイル導体パターンを有し、積層体を基材層の積層方向に透視したとき、第１コイルＬ１のコイル導体パターンと、第２コイルＬ２のコイル導体パターンと、第３コイルＬ３のコイル導体パターンとが、相互に重ならない位置に配置されたものとする。
2019171980.tif 000002
【特許請求の範囲】
【請求項１】
複数の基材層が積層された積層体と、
前記積層体の表面に形成された共通端子、第１分岐端子、第２分岐端子、第３分岐端子と、
前記積層体の内部に形成された第１フィルタ、第２フィルタ、第３フィルタと、を備え、
前記共通端子と前記第１分岐端子との間の経路に、前記第１フィルタが接続され、
前記共通端子と前記第２分岐端子との間の経路に、前記第２フィルタが接続され、
前記共通端子と前記第３分岐端子との間の経路に、前記第３フィルタが接続された、積層型トリプレクサであって、
更に、
前記共通端子と前記第１フィルタとの間に、第１コイルが接続され、
前記共通端子と前記第２フィルタとの間に、第２コイルが接続され、
前記共通端子と前記第３フィルタとの間に、第３コイルが接続され、
前記第１コイル、前記第２コイル、前記第３コイルは、それぞれ、前記積層体の前記基材層の層間に形成されたコイル導体パターンを有し、
前記積層体を前記基材層の積層方向から見たとき、前記第１コイルの前記コイル導体パターンと、前記第２コイルの前記コイル導体パターンと、前記第３コイルの前記コイル導体パターンとが、相互に重ならない位置に配置された、積層型トリプレクサ。  
【請求項２】
前記第１コイル、前記第２コイル、前記第３コイルが、それぞれ、前記基材層の積層方向と平行な巻回軸を有する、請求項１に記載された積層型トリプレクサ。
【請求項３】
前記第１コイル、前記第２コイル、前記第３コイルの少なくとも１つの前記コイル導体パターンが、
前記基材層の異なる層間にそれぞれ形成された、それぞれＵ字形状からなる、第１コイル導体パターンと第２コイル導体パターンとを含み、
前記積層体を前記基材層の積層方向から見たとき、
前記第１コイル導体パターンが、幅方向において、前記第２コイル導体パターンと重なる部分と、前記第２コイル導体パターンと重ならない部分とを有し、
前記第２コイル導体パターンが、幅方向において、前記第１コイル導体パターンと重なる部分と、前記第１コイル導体パターンと重ならない部分とを有する、請求項１または２に記載された積層型トリプレクサ。
【請求項４】
前記積層体を前記基材層の積層方向から見たとき、
前記第１コイル、前記第２コイル、前記第３コイルのうち、その前記コイル導体パターンが囲む領域の面積が最大のものは、
前記基材層の異なる層間にそれぞれ形成された、それぞれＵ字形状からなる、第３コイル導体パターンと第４コイル導体パターンとを含み、
前記第３コイル導体パターンと前記第４コイル導体パターンとが、幅方向において重なっている、請求項１ないし３のいずれか１項に記載された積層型トリプレクサ。
【請求項５】
前記第１フィルタ、前記第２フィルタ、前記第３フィルタが、それぞれ、ＬＣフィルタである、請求項１ないし４のいずれか１項に記載された積層型トリプレクサ。
【発明の詳細な説明】
【技術分野】
【０００１】
本発明は、複数の基材層が積層された多層基板を備えた積層型トリプレクサに関する。
【背景技術】
【０００２】
携帯電話やスマートフォンに代表される移動体通信機などの電子機器に、トリプレクサが広く使用されている。たとえば、特許文献１（ＷＯ２００８／０７５６９１号公報）に、トリプレクサが開示されている。図９に、特許文献１に開示されたトリプレクサ１０００を示す。【０００３】
トリプレクサ１０００は、共通端子Ｐｃ、第１の分岐端子Ｐ１、第２の分岐端子Ｐ２、第３の分岐端子Ｐ３を備えている。【０００４】
トリプレクサ１０００は、ローバンドの第１のバンドパスフィルタ部ｂｐｆ１、ミドルバンドの第２のバンドパスフィルタ部ｂｐｆ２、ハイバンドの第３のバンドパスフィルタ部ｂｐｆ３を備えている。また、トリプレクサ１０００は、２つの位相調整回路Ｙ１、Ｙ２を備えている。さらに、トリプレクサ１０００は、第１の並列共振回路Ｘ１、第２の並列共振回路Ｘ２、第３の並列共振回路Ｘ３を備えている。【０００５】
第１の並列共振回路Ｘ１、第２の並列共振回路Ｘ２、第３の並列共振回路Ｘ３は、それぞれ、コイルとコンデンサが並列に接続されたものからなり、インピーダンスを調整するなど役割を果たす。【０００６】
トリプレクサ１０００では、共通端子Ｐｃと第１の分岐端子Ｐ１との間に、ローバンドの信号経路として、第１の並列共振回路Ｘ１、位相調整回路Ｙ１、第１のバンドパスフィルタ部ｂｐｆ１が順に接続されている。また、共通端子Ｐｃと第２の分岐端子Ｐ２との間に、ミドルバンドの信号経路として、第２の並列共振回路Ｘ２、位相調整回路Ｙ２、第２のバンドパスフィルタ部ｂｐｆ２が順に接続されている。さらに、共通端子Ｐｃと第３の分岐端子Ｐ３との間に、ハイバンドの信号経路として、第３の並列共振回路Ｘ３、第３のバンドパスフィルタ部ｂｐｆ３が順に接続されている。
【先行技術文献】
【特許文献】
【０００７】
【特許文献１】ＷＯ２００８／０７５６９１号公報
【発明の概要】
【発明が解決しようとする課題】
【０００８】
しかしながら、トリプレクサ１０００では、第１の並列共振回路Ｘ１、第２の並列共振回路Ｘ２、第３の並列共振回路Ｘ３を構成する各コンデンサを経由して、他のバンドの信号が混入してしまう場合があった。【０００９】
一般に、コンデンサは高い周波数の信号を通しやすいため、たとえば、第１の並列共振回路Ｘ１のコンデンサを経由して、ローバンドの信号経路に、ミドルバンドやハイバンドの信号が混入してしまう場合があった。また、第２の並列共振回路Ｘ２のコンデンサを経由して、ミドルバンドの信号経路に、ハイバンドの信号が混入してしまう場合があった。【００１０】
そして、第１の並列共振回路Ｘ１、第２の並列共振回路Ｘ２、第３の並列共振回路Ｘ３を構成する各コンデンサを経由した、他のバンドの信号の混入は、トリプレクサ１０００の特性や信頼性を低下させるという問題があった。
【課題を解決するための手段】
【００１１】
本発明は、上述した従来の問題を解決するためになされたものであり、その手段として、本発明の積層型トリプレクサは、複数の基材層が積層された積層体と、積層体の表面に形成された共通端子、第１分岐端子、第２分岐端子、第３分岐端子と、積層体の内部に形成された第１フィルタ、第２フィルタ、第３フィルタと、を備え、共通端子と第１分岐端子との間の経路に、第１フィルタが接続され、共通端子と第２分岐端子との間の経路に、第２フィルタが接続され、共通端子と第３分岐端子との間の経路に、第３フィルタが接続され、更に、共通端子と第１フィルタとの間に、第１コイルが接続され、共通端子と第２フィルタとの間に、第２コイルが接続され、共通端子と第３フィルタとの間に、第３コイルが接続され、第１コイル、第２コイル、第３コイルは、それぞれ、積層体の基材層の層間に形成されたコイル導体パターンを有し、積層体を基材層の積層方向から見たとき、第１コイルのコイル導体パターンと、第２コイルのコイル導体パターンと、第３コイルのコイル導体パターンとが、相互に重ならない位置に配置されたものとする。【００１２】
第１コイル、第２コイル、第３コイルが、それぞれ、基材層の積層方向と平行な巻回軸を有することも好ましい。【００１３】
第１コイル、第２コイル、第３コイルの少なくとも１つのコイル導体パターンが、基材層の異なる層間にそれぞれ形成された、それぞれＵ字形状からなる、第１コイル導体パターンと第２コイル導体パターンとを含み、積層体を基材層の積層方向から見たとき、第１コイル導体パターンが、幅方向において、第２コイル導体パターンと重なる部分と、第２コイル導体パターンと重ならない部分とを有し、第２コイル導体パターンが、幅方向において、第１コイル導体パターンと重なる部分と、第１コイル導体パターンと重ならない部分とを有することも好ましい。同一のコイルを構成する、異なる層間に形成されたコイル導体パターン同士も、重なると浮遊容量を発生させる場合があるが、上記のように、第１コイル導体パターンと第２コイル導体パターンとを幅方向にずらして配置すれば、このような浮遊容量の発生を抑制することができる。そして、このような浮遊容量を経由して、あるバンドに、他のバンドの信号が混入してしまうことを抑制することができる。【００１４】
積層体を基材層の積層方向から見たとき、第１コイル、第２コイル、第３コイルのうち、そのコイル導体パターンが囲む領域の面積が最大のものは、基材層の異なる層間にそれぞれ形成された、それぞれＵ字形状からなる、第３コイル導体パターンと第４コイル導体パターンとを含み、第３コイル導体パターンと第４コイル導体パターンとが、幅方向において重なっていることも好ましい。第１コイル、第２コイル、第３コイルのうち、最も大きなインダクタンス値を必要とするものは、上記のように、コイル導体パターンが囲む領域の面積を最大とし、かつ、同一のコイルを構成する、異なる層間に形成されたコイル導体パターン同士を幅方向において重ねてしまうことで、より大きなインダクタンス値を得ることができる。【００１５】
第１フィルタ、第２フィルタ、第３フィルタは、それぞれ、ＬＣフィルタとすることができる。
【発明の効果】
【００１６】
本発明の積層型トリプレクサは、第１フィルタの前段に第１コイルを接続し、第２フィルタの前段に第２コイルを接続し、第３フィルタの前段に第３コイルを接続しており、従来のように、前段にコイルとコンデンサとの並列共振回路を接続していないため、並列共振回路のコンデンサを経由して、あるバンドに、他のバンドの信号が混入してしまうことがない。【００１７】
また、本発明の積層型トリプレクサは、積層体を基材層の積層方向に透視したとき、第１コイルのコイル導体パターンと、第２コイルのコイル導体パターンと、第３コイルのコイル導体パターンとが、相互に重ならない位置に配置されているため、異なるコイルのコイル導体パターン同士の間の浮遊容量の発生が抑制されているため、このような浮遊容量を経由して、あるバンドに、他のバンドの信号が混入してしまうことが抑制されている。
【図面の簡単な説明】
【００１８】
【図１】実施形態にかかる積層型トリプレクサ１００の斜視図である。
【図２】積層型トリプレクサ１００の下方部分を示す分解斜視図である。
【図３】積層型トリプレクサ１００の中間部分を示す分解斜視図である。
【図４】積層型トリプレクサ１００の上方部分を示す分解斜視図である。
【図５】積層型トリプレクサ１００の等価回路図である。
【図６】積層型トリプレクサ１００の平面図である。
【図７】積層型トリプレクサ１００の平面透視図である。
【図８】積層型トリプレクサ１００と、比較例１、比較例２の周波数特性を示すグラフである。
【図９】特許文献１に開示されたトリプレクサ１０００を示すブロック図である。
【発明を実施するための形態】
【００１９】
以下、図面とともに、本発明を実施するための形態について説明する。
【００２０】
なお、各実施形態は、本発明の実施の形態を例示的に示したものであり、本発明が実施形態の内容に限定されることはない。また、図面は、明細書の理解を助けるためのものであって、模式的に描画されている場合があり、描画された構成要素または構成要素間の寸法の比率が、明細書に記載されたそれらの寸法の比率と一致していない場合がある。また、明細書に記載されている構成要素が、図面において省略されている場合や、個数を省略して描画されている場合などがある。
【００２１】
図１〜図４に、実施形態にかかる積層型トリプレクサ１００を示す。ただし、図１は、積層型トリプレクサ１００の斜視図である、図２〜図４は積層型トリプレクサ１００の分解斜視図であり、図２が積層型トリプレクサ１００の下方部分、図３が積層型トリプレクサ１００の中間部分、図４が上方部分をそれぞれ示しており、図２〜図４を合せて１つの積層型トリプレクサ１００になる。
【００２２】
なお、本明細書において、ある構成要素に符号を付す場合に、アルファベッドを使用する場合があり、基本的にアルファベットａ〜ｚを順番に使用するが、使用するアルファベッドが足りなくなった場合にはアルファベッドａａ〜ａｚを使用し、さらに足りなくなった場合にはアルファベッドｂａ〜ｂｚを使用する。ただし、アルファベッドは、必ず順番どおりに全てが使われているわけではなく、欠番が発生している場合がある。
【００２３】
また、特に説明を必要としない中継電極については、符号を付さず、説明を省略する場合がある。
【００２４】
積層型トリプレクサ１００は、２７層の基材層１ａ〜１ａａが下から順番に積層された積層体１を備えている。積層体１（基材層１ａ〜１ａａ）の材質は任意であるが、たとえば、低温同時焼成セラミックスを使用することができる。まず、基材層１ａ〜１ａａの上下両主面に形成された端子、電極、導体パターンについて説明する。
【００２５】
基材層１ａの下側主面に、共通端子２ａ、ローバンドの第１分岐端子３ａ、ミドルバンドの第２分岐端子３ｂ、ハイバンドの第３分岐端子３ｃ、グランド端子４ａ〜４ｄが形成されている。
【００２６】
基材層１ｂの上側主面に、グランド電極５ａ、中継電極６ａ〜６ｄが形成されている。なお、グランド電極は、コンデンサ電極を兼ねる場合がある。
【００２７】
基材層１ｃの上側主面に、コンデンサ電極７ａ〜７ｅが形成されている。なお、コンデンサ電極は、グランド電極を兼ねる場合がある。
【００２８】
基材層１ｄの上側主面に、コンデンサ電極７ｆ〜７ｈが形成されている。
【００２９】
基材層１ｅの上側主面に、中継電極６ｅ、コンデンサ電極７ｉ〜７ｋが形成されている。
【００３０】
基材層１ｆの上側主面に、コンデンサ電極７ｌ、７ｍが形成されている。
【００３１】
基材層１ｇの上側主面に、コンデンサ電極７ｎが形成されている。
【００３２】
基材層１ｈの上側主面に、コンデンサ電極７ｏ、７ｐが形成されている。コンデンサ電極７ｏとコンデンサ電極７ｐは、相互に接続されている。
【００３３】
基材層１ｉの上側主面に、中継電極６ｆ、コンデンサ電極７ｑ、７ｒが形成されている。
【００３４】
基材層１ｊの上側主面に、コンデンサ電極７ｓ〜７ｕが形成されている。コンデンサ電極７ｓとコンデンサ電極７ｔは、相互に接続されている。
【００３５】
基材層１ｋの上側主面に、コンデンサ電極７ｖが形成されている。
【００３６】
基材層１ｌの上側主面に、コイル導体パターン８ａ、８ｂが形成されている。
【００３７】
基材層１ｍの上側主面に、コイル導体パターン８ｃ、８ｄが形成されている。
【００３８】
基材層１ｎの上側主面に、中継電極６ｇ、コイル導体パターン８ｅ〜８ｈが形成されている。
【００３９】
基材層１ｏの上側主面に、中継電極６ｈ、コイル導体パターン８ｉ〜８ｌが形成されている。
【００４０】
基材層１ｐの上側主面に、コイル導体パターン８ｍ、８ｎが形成されている。
【００４１】
基材層１ｑの上側主面に、コイル導体パターン８ｏ〜８ｒが形成されている。
【００４２】
基材層１ｒの上側主面に、中継電極６ｉ、コイル導体パターン８ｓ〜８ｗが形成されている。
【００４３】
基材層１ｓの上側主面に、中継電極６ｊ、コイル導体パターン８ａａ〜８ａｄが形成されている。
【００４４】
基材層１ｔの上側主面に、コイル導体パターン８ａｅ〜８ａｉが形成されている。
【００４５】
基材層１ｕの上側主面に、中継電極６ｋ、６ｌ、コイル導体パターン８ａｊ〜８ａｎが形成されている。
【００４６】
基材層１ｖの上側主面に、コンデンサ電極７ａａ、７ａｂが形成されている。
【００４７】
基材層１ｗの上側主面に、コンデンサ電極７ａｃ、７ａｄが形成されている。
【００４８】
基材層１ｘの上側主面に、コンデンサ電極７ａｅ、７ａｆが形成されている。
【００４９】
基材層１ｙの上側主面に、コンデンサ電極７ａｇが形成されている。
【００５０】
基材層１ｚの上側主面に、コンデンサ電極７ａｈ、７ａｉが形成されている。
【００５１】
基材層１ａａの上側主面に、方向性を示すマーク１０が形成されている。
【００５２】
基材層ａ〜ｚには、必要に応じて、両主面間を貫通するビア導体が形成されている。次に、各ビア導体について説明する。
【００５３】
ビア導体９ａによって、共通端子２ａと中継電極６ｃの一端とが接続されている。
【００５４】
ビア導体９ｂによって、第１分岐端子３ａが中継電極６ａの一端に接続されている。ビア導体９ｃによって、第２分岐端子３ｂが中継電極６ｂの一端に接続されている。ビア導体９ｄによって、第３分岐端子３ｃが中継電極６ｄの一端に接続されている。
【００５５】
ビア導体９ｅによって、グランド端子４ａがグランド電極５ａに接続されている。ビア導体９ｆによって、グランド端子４ｂがグランド電極５ａに接続されている。ビア導体９ｇによって、グランド端子４ｃがグランド電極５ａに接続されている。ビア導体９ｈによって、グランド端子４ｄがグランド電極５ａに接続されている。
【００５６】
ビア導体９ｉによって、中継電極６ｃの他端が中継電極６ｅの一端に接続されている。ビア導体９ｊによって、中継電極６ａの他端が、コンデンサ電極７ｉと、コイル導体パターン８ａの一端とに接続されている。ビア導体９ｋによって、中継電極６ｂの他端が、コンデンサ電極７ｑと、コイル導体パターン８ａｆの一端とに接続されている。ビア導体９ｌによって、中継電極６ｄの他端が、コンデンサ電極７ｅに接続されている。
【００５７】
ビア導体９ｍによって、グランド電極５ａが、コンデンサ電極７ｇに接続されている。ビア導体９ｎによって、グランド電極５ａが、コイル導体パターン８ａｃの一端に接続されている。ビア導体９ｏによって、グランド電極５ａが、コンデンサ電極７ｈに接続されている。ビア導体９ｐによって、グランド電極５ａが、コイル導体パターン８ａｄの一端に接続されている。ビア導体９ｑによって、グランド電極５ａが、コイル導体パターン８ｄの一端に接続されている。
【００５８】
ビア導体９ｒによって、コンデンサ電極７ｂが、コイル導体パターン８ｃの一端に接続されている。ビア導体９ｓによって、コンデンサ電極７ａが、コンデンサ電極７ｊと、コンデンサ電極７ｎとに接続されている。ビア導体９ｔによって、コンデンサ電極７ｃが、コンデンサ電極７ｐに接続されている。ビア導体９ｕによって、コンデンサ電極７ｅが、コイル導体パターン８ｎの一端に接続されている。ビア導体９ｖによって、コンデンサ電極７ｄが、コンデンサ電極７ｋに接続されている。
【００５９】
ビア導体９ｗによって、コンデンサ電極７ｆが、コンデンサ電極７ｌと、コイル導体パターン８ａの他端と、中継電極６ｈの一端とに接続されている。
【００６０】
ビア導体９ａａによって、コンデンサ電極７ｋが、中継電極６ｆの一端に接続されている。
【００６１】
ビア導体９ａｂによって、中継電極６ｅの他端が、コイル導体パターン８ｒの一端と、中継電極６ｋの一端とに接続されている。
【００６２】
ビア導体９ａｃによって、コンデンサ電極７ｎが、中継電極６ｇの一端に接続されている。ビア導体９ａｄによって、コンデンサ電極７ｎが、コイル導体パターン８ｆの一端に接続されている。
【００６３】
ビア導体９ａｅによって、コンデンサ電極７ｏとコンデンサ電極７ｐの接続点が、コンデンサ電極７ｓとコンデンサ電極７ｔの接続点に接続されている。
【００６４】
ビア導体９ａｆによって、コンデンサ電極７ｒが、コイル導体パターン８ｇの一端に接続されている。ビア導体９ａｇによって、中継電極６ｆの他端が、コイル導体パターン８ｍの一端と、コンデンサ電極７ａｄと、コンデンサ電極７ａｇとに接続されている。
【００６５】
ビア導体９ａｈによって、コンデンサ電極７ｓが、中継電極６ｉの一端に接続されている。ビア導体９ａｉによって、コンデンサ電極７ｕが、コイル導体パターン８ｊの一端に接続されている。
【００６６】
ビア導体９ａｊによって、コイル導体パターン８ｂの他端が、コイル導体パターン８ｍの他端に接続されている。ビア導体９ａｋによって、コイル導体パターン８ｂの一端が、コイル導体パターン８ｎの他端に接続されている。
【００６７】
ビア導体９ａｌによって、コイル導体パターン８ｃの他端が、コイル導体パターン８ｅの一端に接続されている。ビア導体９ａｍによって、コイル導体パターン８ｄの他端が、コイル導体パターン８ｈの一端に接続されている。
【００６８】
ビア導体９ａｎによって、コイル導体パターン８ｅの他端が、コイル導体パターン８ｉの一端に接続されている。ビア導体９ａｏによって、中継電極６ｇの他端が、コイル導体パターン８ａｊの一端に接続されている。ビア導体９ａｐによって、コイル導体パターン８ｆの他端が、コイル導体パターン８ｐの一端に接続されている。ビア導体９ａｑによって、コイル導体パターン８ｇの他端が、コイル導体パターン８ｋの一端に接続されている。ビア導体９ａｒによって、コイル導体パターン８ｈの他端が、コイル導体パターン８ｌの一端に接続されている。
【００６９】
ビア導体９ａｓによって、中継電極６ｈの他端が、コイル導体パターン８ａａの一端に接続されている。ビア導体９ａｔによって、コイル導体パターン８ｉの他端が、コイル導体パターン８ｏの一端に接続されている。ビア導体９ａｕによって、コイル導体パターン８ｊの他端が、コイル導体パターン８ｖの一端に接続されている。ビア導体９ａｖによって、コイル導体パターン８ｋの他端が、コイル導体パターン８ｑの一端に接続されている。ビア導体９ａｗによって、コイル導体パターン８ｌの他端が、中継電極６ｊの一端に接続されている。
【００７０】
ビア導体９ｂａによって、コイル導体パターン８ｏの他端が、コイル導体パターン８ｓの一端に接続されている。なお、コイル導体パターン８ｓの他端は、中継電極６ｉの他端に接続されている。ビア導体９ｂｂによって、コイル導体パターン８ｐの他端が、コイル導体パターン８ｕの一端に接続されている。ビア導体９ｂｃによって、コイル導体パターン８ｑの他端が、コイル導体パターン８ｗの一端に接続されている。ビア導体９ｂｄによって、コイル導体パターン８ｒの他端が、コイル導体パターン８ｘの一端に接続されている。
【００７１】
ビア導体９ｂｅによって、コイル導体パターン８ｓの他端と中継電極６ｉの他端との接続点が、コイル導体パターン８ａｋの一端に接続されている。ビア導体９ｂｆによって、コイル導体パターン８ｕの他端が、コイル導体パターン８ａｂの一端に接続されている。ビア導体９ｂｇによって、コイル導体パターン８ｖの他端が、コイル導体パターン８ａｇの一端に接続されている。ビア導体９ｂｈによって、コイル導体パターン８ｗの他端が、コイル導体パターン８ａｃの他端に接続されている。ビア導体９ｂｉによって、コイル導体パターン８ｘの他端が、コイル導体パターン８ａｈの一端に接続されている。
【００７２】
ビア導体９ｂｊによって、コイル導体パターン８ａａの他端が、コイル導体パターン８ａｅの一端に接続されている。ビア導体９ｂｋによって、コイル導体パターン８ａｂの他端が、コイル導体パターン８ａｌの一端に接続されている。ビア導体９ｂｌによって、中継電極６ｊの他端が、コンデンサ電極７ａｃに接続されている。ビア導体９ｂｍによって、コイル導体パターン８ａｄの他端が、コイル導体パターン８ａｉの一端に接続されている。
【００７３】
ビア導体９ｂｎによって、コイル導体パターン８ａｅの他端が、コイル導体パターン８ａｊの一端に接続されている。ビア導体９ｂｏによって、コイル導体パターン８ａｆの他端が、コイル導体パターン８ａｋの他端に接続されている。ビア導体９ｂｐによって、コイル導体パターン８ａｇの他端が、コイル導体パターン８ａｍの他端に接続されている。なお、コイル導体パターン８ａｍの他端は、中継電極６ｋの他端と、コイル導体パターン８ａｌの他端とに接続されている。ビア導体９ｂｑによって、コイル導体パターン８ａｈの他端が、中継電極６ｌの一端に接続されている。ビア導体９ｂｒによって、コイル導体パターン８ａｉの他端が、コイル導体パターン８ａｎの他端に接続されている。
【００７４】
ビア導体９ｂｓによって、中継電極６ｌの他端が、コンデンサ電極７ａａに接続されている。ビア導体９ｂｔによって、コイル導体パターン８ａｎの他端が、コンデンサ電極７ａｂに接続されている。
【００７５】
ビア導体９ｂｕによって、コンデンサ電極７ａｂが、コンデンサ電極７ａｆと、コンデンサ電極７ａｉとに接続されている。
【００７６】
ビア導体９ｂｖによって、コンデンサ電極７ａｅが、コンデンサ電極７ａｈに接続されている。
【００７７】
上述した共通端子２ａ、第１分岐端子３ａ、第２分岐端子３ｂ、第３分岐端子３ｃ、グランド端子４ａ〜４ｄ、グランド電極５ａ、中継電極６ａ〜６ｌ、コンデンサ電極７ａ〜7ａｉ、コイル導体パターン８ａ〜８ａｎ、ビア導体９ａ〜９ｂｖの材質は任意であるが、たとえば、銅、銀、アルミニウム等、あるいは、銅、銀、アルミニウム等の合金を主成分として用いることができる。なお、共通端子２ａ、第１分岐端子３ａ、第２分岐端子３ｂ、第３分岐端子３ｃ、グランド端子４ａ〜４ｄの表面には、さらに、めっき層を形成しても良い。
【００７８】
以上の構造からなる積層型トリプレクサ１００は、従来から一般的に実施されている積層型トリプレクサの製造方法によって製造することができる。
【００７９】
以上の構造からなる積層型トリプレクサ１００は、図５に示す等価回路を備えている。
【００８０】
積層型トリプレクサ１００は、共通端子２ａと、ローバンドの第１分岐端子３ａと、ミドルバンドの第２分岐端子３ｂと、ハイバンドの第３分岐端子３ｃとを備えている。
【００８１】
共通端子２ａは、共通の信号経路１１に接続されている。共通の信号経路１１は、途中で、ローバンドの信号経路２１、ミドルバンドの信号経路２２、ハイバンドの信号経路２３に分岐している。
【００８２】
各バンドの周波数は任意である。本実施形態においては、一例として、ローバンドを６１７〜９６０ＭＨｚ、ミドルバンドを１４２７〜２６９０ＭＨｚ、ハイバンドを３３００〜３８００ＭＨｚにした。
【００８３】
ローバンドの信号経路２１には、インピーダンス調整用のコイルＬ１と、第１ＬＣフィルタ３１とが接続されている。コイルＬ１が、特許請求の範囲の請求項に記載した第１コイルに該当する。ローバンドの信号経路２１は、第１分岐端子３ａに至る。
【００８４】
第１ＬＣフィルタ３１は、コイルＬ１と第１分岐端子３ａとの間に、コイルＬ４、コイルＬ５が、この順番に接続されている。コイルＬ１とコイルＬ４との接続点と、グランドとの間に、コンデンサＣ１が接続されている。コイルＬ４と並列に、コンデンサＣ２が接続されている。コイルＬ４とコイルＬ５との接続点と、グランドとの間に、コンデンサＣ３が接続されている。コイルＬ５と並列に、コンデンサＣ４が接続されている。
【００８５】
ミドルバンドの信号経路２２には、インピーダンス調整用のコイルＬ２と、第２ＬＣフィルタ３２とが接続されている。コイルＬ２が、特許請求の範囲の請求項に記載した第２コイルに該当する。ミドルバンドの信号経路２２は、第２分岐端子３ｂに至る。
【００８６】
第２ＬＣフィルタ３２は、コイルＬ２と第２分岐端子３ｂとの間に、コンデンサＣ６、コイルＬ８が、この順番に接続されている。コンデンサＣ６の一端にコンデンサＣ５の一端が接続され、コンデンサＣ６の他端にコンデンサＣ７の一端が接続され、コンデンサＣ５の他端とコンデンサＣ７の他端とが相互に接続されている。そして、コンデンサＣ５の他端とコンデンサＣ７の他端との接続点と、グランドとの間に、コイルＬ６が接続されている。コンデンサＣ６とコイルＬ８との接続点と、グランドとの間に、コイルＬ７、コンデンサＣ８が、この順番に接続されている。また、コンデンサＣ６とコイルＬ８との接続点と、グランドとの間に、コンデンサＣ９が接続されている。コイルＬ８と並列に、コンデンサＣ１０が接続されている。
【００８７】
ハイルバンドの信号経路２３には、インピーダンス調整用のコイルＬ３と、第３ＬＣフィルタ３３とが接続されている。コイルＬ３が、特許請求の範囲の請求項に記載した第３コイルに該当する。ハイバンドの信号経路２１は、第３分岐端子３ｃに至る。
【００８８】
第３ＬＣフィルタ３３は、コイルＬ３と第３分岐端子３ｃとの間に、コンデンサＣ１１、コンデンサＣ１３、コイルＬ１１が、この順番に接続されている。コンデンサＣ１１とコンデンサＣ１３との接続点と、グランドとの間に、コンデンサＣ１２、コイルＬ９が、この順番に接続されている。コンデンサＣ１３とコイルＬ１１との接続点と、グランドとの間に、コンデンサＣ１４、コイルＬ１０が、この順番に接続されている。また、コンデンサＣ１３とコイルＬ１１との接続点と、グランドとの間に、コンデンサＣ１５が接続されている。コイルＬ１１と並列に、コンデンサＣ１６が接続されている。
【００８９】
次に、積層型トリプレクサ１００の構造と、等価回路との関係について説明する。
【００９０】
共通の信号経路１１は、共通端子２ａから、ビア導体９ａ、中継電極６ｃ、ビア導体９ｉ、中継電極6ｅ、ビア導体９ａｂ、中継電極６ｋを、順番に接続したものからなる。上述したとおり、共通の信号経路１１のいずれかの点から、ローバンドの信号経路２１、ミドルバンドの信号経路２２、ハイバンドの信号経路２３がそれぞれ分岐している。
【００９１】
ローバンドの信号経路２１は、共通の信号経路１１の中継電極６ｋの他端から分岐している。具体的には、中継電極６ｋの他端に、インピーダンス調整用のコイルＬ１が接続されている。
【００９２】
インピーダンス調整用のコイルＬ１は、中継電極６ｋの他端を起点として、コイル導体パターン８ａｌ、ビア導体９ｂｋ、コイル導体パターン８ａｂ、ビア導体９ｂｆ、コイル導体パターン８ｕ、ビア導体９ｂｂ、コイル導体パターン８ｐ、ビア導体９ａｐ、コイル導体パターン８ｆ、ビア導体９ａｄを順番に接続し、コンデンサ電極７ｎに至っている。
【００９３】
第１ＬＣフィルタ３１のコイルＬ４は、コンデンサ電極７ｎを起点として、ビア導体９ａｃ、中継電極６ｇ、ビア導体９ａｏ、コイル導体パターン８ａｊ、ビア導体９ｂｎ、コイル導体パターン８ａｅ、ビア導体９ｂｊ、コイル導体パターン８ａａ、ビア導体９ａｓ、中継電極６ｈ、ビア導体９ｗを順番に接続し、コイル導体パターン８ａの他端に至る経路で構成されている。
【００９４】
第１ＬＣフィルタ３１のコイルＬ５は、コイル導体パターン８ａによって構成されている。上述したとおり、コイル導体パターン８ａの他端には、コイルＬ４が接続されている。コイル導体パターン８ａの一端は、ビア導体９ｊ、中継電極６ａ、ビア導体９ｂを順番に接続する経路で、ローバンドの第１分岐端子３ａに接続されている。
【００９５】
第１ＬＣフィルタ３１のコンデンサＣ１は、主に、コンデンサ電極７ｊ、７ａを一方の電極として、コンデンサ電極７ｈを他方の電極として構成されている。コンデンサ電極７ｊ、７ａは、ビア導体９ｓによって、コイルＬ１が接続されたコンデンサ電極７ｎに接続されている。コンデンサ電極７ｈは、ビア導体９ｏによって、グランド電極５ａに接続されている。
【００９６】
第１ＬＣフィルタ３１のコンデンサＣ２は、主に、コンデンサ電極７ｎ、７ｊを一方の電極として、コンデンサ電極７ｍを他方の電極として構成されている。コンデンサ電極７ｎには、上述したとおり、コイルＬ１が接続されている。コンデンサ電極７ｊは、ビア導体９ｓによって、コンデンサ電極７ｎに接続されている。また、コンデンサ電極７ｍは、コンデンサ電極７ｌ、ビア導体９ｗを経由して、コイルＬ５の他端であるコイル導体パターン８ａの他端に接続されている。
【００９７】
第１ＬＣフィルタ３１のコンデンサＣ３は、主に、コンデンサ電極７ｆを一方の電極として、グランド電極５ａを他方の電極として構成されている。コンデンサ電極７ｆは、ビア導体９ｗを経由して、コイルＬ４とコイルＬ５との接続点であるコイル導体パターン８ａの他端に接続されている。
【００９８】
第１ＬＣフィルタ３１のコンデンサＣ４は、主に、コンデンサ電極７ｆ、７ｌを一方の電極として、コンデンサ電極７ｉを他方の電極として構成されている。コンデンサ電極７ｆ、７ｌは、ビア導体９ｗを経由して、コイルＬ４とコイルＬ５との接続点であるコイル導体パターン８ａの他端に接続されている。また、コンデンサ電極７ｉは、ビア導体９ｊを経由して、コイルＬ５の他端であるコイル導体パターン８ａの一端に接続されている。
【００９９】
ミドルバンドの信号経路２２は、共通の信号経路１１の中継電極６ｋの他端から分岐している。具体的には、中継電極６ｋの他端に、インピーダンス調整用のコイルＬ２が接続されている。
【０１００】
インピーダンス調整用のコイルＬ２は、中継電極６ｋの他端を起点として、コイル導体パターン８ａｍ、ビア導体９ｂｐ、コイル導体パターン８ａｇ、ビア導体９ｂｇ、コイル導体パターン８ｖ、ビア導体９ａｕ、コイル導体パターン８ｊ、ビア導体９ａｉを順番に接続し、コンデンサ電極７ｕおよびコンデンサ電極７ｖに至っている。
【０１０１】
第２ＬＣフィルタ３２のコンデンサＣ５は、主に、コンデンサ電極７ｕを一方の電極として、コンデンサ電極７ｒを他方の電極として構成されている。コンデンサ電極７ｕには、上述したとおり、コイルＬ２が接続されている。
【０１０２】
第２ＬＣフィルタ３２のコンデンサＣ６は、主に、コンデンサ電極７ｖを一方の電極として、コンデンサ電極７ｓを他方の電極として構成されている。コンデンサ電極７ｖには、上述したとおり、コイルＬ２が接続されている。
【０１０３】
第２ＬＣフィルタ３２のコンデンサＣ７は、主に、コンデンサ電極７ｔ、７ｐを一方の電極として、コンデンサ電極７ｒを他方の電極として構成されている。
【０１０４】
第２ＬＣフィルタ３２のコイルＬ６は、コンデンサＣ５、Ｃ７のそれぞれの他方の電極であるコンデンサ電極７ｒを起点として、ビア導体９ａｆ、コイル導体パターン８ｇ、ビア導体９ａｑ、コイル導体パターン８ｋ、ビア導体９ａｖ、コイル導体パターン８ｑ、ビア導体９ｂｃ、コイル導体パターン８ｗ、ビア導体９ｂｈ、コイル導体パターン８ａｃ、ビア導体９ｎを順番に接続し、グランド電極５ａに至る経路で構成されている。
【０１０５】
コンデンサＣ６の他方の電極であるコンデンサ電極７ｓと、コンデンサＣ７の一方の電極であるコンデンサ電極７ｔ、７ｐと、さらにもう１つのコンデンサ電極７ｏとが、ビア導体９ａｅによって、相互に接続されている。コンデンサ電極７ｔ、７ｓ、７ｏ、７ｐは、コンデンサＣ６とコイルＬ８との接続点である。
【０１０６】
第２ＬＣフィルタ３２のコイルＬ７は、コンデンサＣ６とコイルＬ８との接続点のコンデンサ電極７ｓを起点として、ビア導体９ａｈ、中継電極６ｉ、コイル導体パターン８ｓ、ビア導体９ｂａ、コイル導体パターン８ｏ、ビア導体９ａｔ、コイル導体パターン８ｉ、ビア導体９ａｎ、コイル導体パターン８ｅ、ビア導体９ａｌ、コイル導体パターン８ｃ、ビア導体９ｎを順番に接続し、コンデンサ電極７ｂに至る経路で構成されている。
【０１０７】
第２ＬＣフィルタ３２のコンデンサＣ８は、主に、コンデンサ電極７ｂを一方の電極として、コンデンサ電極７ｇおよびグランド電極５ａを他方の電極として構成されている。コンデンサ電極７ｂには、上述したとおり、コイルＬ７が接続されている。コンデンサ電極７ｇは、ビア導体９ｍによって、グランド電極５ａに接続されている。
【０１０８】
第２ＬＣフィルタ３２のコンデンサＣ９は、主に、コンデンサ電極７ｃを一方の電極として、グランド電極５ａを他方の電極として構成されている。コンデンサ電極７ｃは、コンデンサＣ６とコイルＬ８との接続点のコンデンサ電極７ｐと、ビア導体９ｔによって接続されている。
【０１０９】
第２ＬＣフィルタ３２のコイルＬ８は、コンデンサＣ６とコイルＬ８との接続点のコンデンサ電極７ｓを起点として、ビア導体９ａｈ、中継電極６ｉ、ビア導体９ｂｅ、コイル導体パターン８ａｋ、ビア導体９ｂｏ、コイル導体パターン８ａｆ、ビア導体９ｋ、中継電極６ｂ、ビア導体９ｃを順番に接続し、第２分岐端子３ｂに至る経路で構成されている。
【０１１０】
第２ＬＣフィルタ３２のコンデンサＣ１０は、主に、コンデンサ電極７ｏを一方の電極として、コンデンサ電極７ｑを他方の電極として構成されている。コンデンサ電極７ｏは、コンデンサＣ６とコイルＬ８との接続点を構成している。コンデンサ電極７ｑは、ビア導体９ｋ、中継電極６ｂ、ビア導体９ｃを経由して、第２分岐端子３ｂに接続されている。
【０１１１】
ハイバンドの信号経路２３は、共通の信号経路１１の途中であるビア導体９ａｂに、コイル導体パターン８ｒの一端が接続されている部分が、共通の信号経路１１からの分岐点である。
【０１１２】
インピーダンス調整用のコイルＬ３は、コイル導体パターン８ｒの一端を起点として、コイル導体パターン８ｒ、ビア導体９ｂｄ、コイル導体パターン８ｘ、ビア導体９ｂｉ、コイル導体パターン８ａｈ、中継電極６ｌ、ビア導体９ｂｓを順番に接続し、コンデンサ電極７ａａに至っている。
【０１１３】
第３ＬＣフィルタ３３のコンデンサＣ１１は、主に、コンデンサ電極７ａａを一方の電極として、コンデンサ電極７ａｅを他方の電極として構成されている。コンデンサ電極７ａａには、上述したとおり、コイルＬ３が接続されている。
【０１１４】
第３ＬＣフィルタ３３のコンデンサＣ１３は、主に、コンデンサ電極７ａｅ、７ａｈを一方の電極として、コンデンサ電極７ａｇを他方の電極として構成されている。コンデンサ電極７ａｅは、上述したとおり、コンデンサＣ１１の他方の電極の電極である。また、コンデンサ電極７ａｈは、ビア導体９ｂｖによって、コンデンサ電極７ａｅに接続されている。
【０１１５】
第３ＬＣフィルタ３３のコイルＬ１１は、コンデンサＣ１３の他方の電極であるコンデンサ電極７ａｇを起点として、ビア導体９ａｇ、コイル導体パターン８ｍ、ビア導体９ａｊ、コイル導体パターン８ｂ、ビア導体９ａｋ、コイル導体パターン８ｎ、ビア導体９ｕ、コンデンサ電極７ｅ、ビア導体９ｌ、中継電極６ｄ、ビア導体９ｄを順番に接続する経路で、ハイバンドの第３分岐端子３ｃに接続されている。
【０１１６】
第３ＬＣフィルタ３３のコンデンサＣ１２は、主に、コンデンサ電極７ａｅを一方の電極として、コンデンサ電極７ａｃを他方の電極として構成されている。コンデンサ電極７ａｅは、上述のとおり、コンデンサＣ１１の他方の電極であり、かつ、コンデンサＣ１３の一方の電極であり、コンデンサＣ１１とコンデンサＣ１３との接続点を形成している。
【０１１７】
第３ＬＣフィルタ３３のコイルＬ９は、コンデンサＣ１２の他方の電極であるコンデンサ電極７ａｃを起点として、ビア導体９ａｌ、中継電極６ｊ、ビア導体９ａｗ、コイル導体パターン８ｌ、ビア導体９ａｒ、コイル導体パターン８ｈ、ビア導体９ａｍ、コイル導体パターン８ｄ、ビア導体９ｑを順番に接続し、グランド電極５ａに至る経路で構成されている。
【０１１８】
第３ＬＣフィルタ３３のコンデンサＣ１４は、主に、コンデンサ電極７ａｄ、７ａｇを一方の電極として、コンデンサ電極７ａｉ、７ａｆ、７ａｂを他方の電極として構成されている。コンデンサ電極７ａｇは、上述したとおり、コンデンサＣ１３の他方の電極の電極である。また、コンデンサ電極７ａｄは、ビア導体９ａｇによって、コンデンサ電極７ａｇに接続されている。コンデンサ電極７ａｉ、７ａｆ、７ａｂは、ビア導体９ｂｕによって、相互に接続されている。
【０１１９】
第３ＬＣフィルタ３３のコイルＬ１０は、コンデンサＣ１４の他方の電極の１つであるコンデンサ電極７ａｂを起点として、ビア導体９ｂｔ、コイル導体パターン８ａｎ、ビア導体９ｂｒ、コイル導体パターン８ａｉ、ビア導体９ｂｍ、コイル導体パターン８ａｄ、ビア導体９ｐを順番に接続し、グランド電極５ａに至る経路で構成されている。
【０１２０】
第３ＬＣフィルタ３３のコンデンサＣ１５は、コンデンサ電極７ｄを一方の電極として、グランド電極５ａを他方の電極として構成されている。コンデンサ電極７ｄは、ビア導体９ｖ、コンデンサ電極７ｋ、ビア導体９ａａ、中継電極６ｆ、ビア導体９ｖを経由して、コンデンサＣ１３の他方の電極であるコンデンサ電極７ａｇに接続されている。
【０１２１】
第３ＬＣフィルタ３３のコンデンサＣ１６は、コンデンサ電極７ｋを一方の電極として、コンデンサ電極７ｅを他方の電極として構成されている。コンデンサ電極７ｋは、ビア導体９ａａ、中継電極６ｆ、ビア導体９ｖを経由して、コンデンサＣ１３の他方の電極であるコンデンサ電極７ａｇに接続されている。コンデンサ電極７ｅは、ビア導体９ｌ、中継電極６ｄ、ビア導体９ｄを経由して、第３分岐端子３ｃに接続されている。
【０１２２】
実施形態の積層型トリプレクサ１００は、第１ＬＣフィルタ３１の前段にコイルＬ１を接続し、第２ＬＣフィルタ３２の前段にコイルＬ２を接続し、第３ＬＣフィルタ３３の前段にコイルＬ３を接続しており、従来のように、前段にコイルとコンデンサとの並列共振回路を接続していない。したがって、積層型トリプレクサ１００は、並列共振回路のコンデンサを経由して、あるバンドに、他のバンドの信号が混入してしまうことがない。
【０１２３】
また、実施形態の積層型トリプレクサ１００は、積層体１を基材層１ａ〜１ａａの積層方向に透視したとき、コイルＬ１のコイル導体パターン８ｆ、８ｐ、８ｕ、８ａｂ、８ａｌと、コイルＬ２のコイル導体パターン８ｊ、８ｖ、８ａｇ、８ａｍと、コイルＬ３のコイル導体パターン８ｒ、８ｘ、８ａｈとが、相互に重ならない位置に形成されている。
【０１２４】
図６に、積層型トリプレクサ１００における、コイルＬ１、コイルＬ２、コイルＬ３の形成位置を示す。図６から分かるように、積層体１を基材層１ａ〜１ａａの積層方向に透視したとき、これらのコイル導体パターンは、相互に重ならない位置に形成されている。したがって、積層型トリプレクサ１００は、異なるコイルのコイル導体パターン同士の間の浮遊容量の発生が抑制されており、このような浮遊容量を経由して、あるバンドへ、他のバンドの信号が混入することが抑制されている。
【０１２５】
また、実施形態の積層型トリプレクサ１００は、コイルＬ２およびコイルＬ３において、それぞれ、積層体１を基材層１ａ〜１ａａの積層方向に透視したとき、異なる層間に形成されたコイル導体パターン同士を、相互に、幅方向にずらして配置している。
【０１２６】
図７に、コイルＬ２の異なる形成されたコイル導体パターン８ａｍとコイル導体パターン８ａｇとを比較して示す。図７から分かるように、コイル導体パターン８ａｍ（実線）と、コイル導体パターン８ａｇ（破線）とは、幅方向にずらして形成されている。同一のコイルを構成する、異なる層間に形成されたコイル導体パターン同士も、重なると浮遊容量を発生させる場合があるが、幅方向にずらして配置すれば、このような浮遊容量の発生を抑制することができる。そして、このような浮遊容量を経由して、あるバンドに、他のバンドの信号が混入してしまうことを抑制することができる。
【０１２７】
コイルＬ３においても、同様の設計手法を採用している。ただし、ローバンドの信号経路にインピーダンス調整用として接続されたコイルＬ１は、大きなインダクタンス値を必要とするため、この手法を採用せず、コイル導体パターン８ｐ、８ｕ、８ａｂ、８ａｌを、最大限大きくし、かつ、相互に重ねて形成することによって、大きなインダクタンス値を得ている。
【０１２８】
図８に、実施形態の積層型トリプレクサ１００の周波数特性を、実施例（実線）として示す。また、比較のために、比較例１と比較例２の周波数特性をそれぞれ示す。比較例１（一点鎖線）は、コイルＬ１とコイルＬ２とを、積層体１の内部において、基材層１ａ〜１ａａの積層方向に重ねて形成した。比較例２（鎖線）は、コイルＬ１とコイルＬ３とを、積層体１の内部において、基材層１ａ〜１ａａの積層方向に重ねて形成した。
【０１２９】
図８から分かるように、比較例１は、ローバンドおよびミドルバンドの周波数特性が好ましくない。具体的には、ローバンドにおいては、通過帯域の高域側において、十分な減衰量が得られていない。また、ミドルバンドにおいても、通過帯域の高域側において、十分な減衰量が得られていない。比較例２は、ローバンドおよびハイバンドの周波数特性が好ましくない。具体的には、ローバンドにおいては、通過帯域の高域側において、十分な減衰量が得られていない。また、ハイバンドにおいては、通過帯域が狭くなってしまっており、十分な帯域特性が得られていない。これに対し、積層型トリプレクサ１００（実施例）は、ローバンド、ミドルバンド、ハイバンドの全てにおいて十分な通過帯域特性、帯域外周波数特性が得られており、好ましい周波数特性を備えている。
【０１３０】
以上、本発明の実施形態にかかる積層型トリプレクサ１００について説明した。しかしながら、本発明が上述した内容に限定されることはなく、種々の変更をなすことができる。
【０１３１】
たとえば、第１ＬＣフィルタ３１、第２ＬＣフィルタ３２、第３ＬＣフィルタ３３の各回路構成は任意であり、明細書および図面に記載したものには限られない。
【０１３２】
また、本発明の積層型トリプレクサは、第１分岐端子〜第３分岐端子に、たとえば第４分岐端子を加え、第１ＬＣフィルタ〜第３ＬＣフィルタに、たとえば第４ＬＣフィルタを加え、積層型マルチプレクサとして構成してもよく、その場合も本発明に含まれる。なお、分岐端子やＬＣフィルタの数は、更に増やしてもよい。  
【符号の説明】
【０１３３】
１・・・積層体
１ａ〜１ａａ・・・基材層
２ａ・・・共通端子
３ａ・・・第１分岐端子（ローバンド）
３ｂ・・・第２分岐端子（ミドルバンド）
３ｃ・・・第３分岐端子（ハイバンド）
４ａ〜４ｄ・・・グランド端子
５ａ・・・グランド電極
６ａ〜６ｌ・・・中継電極
７ａ〜7ａｉ・・・コンデンサ電極
８ａ〜８ａｎ・・・コイル導体パターン
９ａ〜９ｂｖ・・・ビア導体
Ｌ１・・・コイル（第１コイル）
Ｌ２・・・コイル（第２コイル）
Ｌ３・・・コイル（第３コイル）
３１・・・第１ＬＣフィルタ（ローバンド）
３２・・・第２ＬＣフィルタ（ミドルバンド）
３３・・・第３ＬＣフィルタ（ハイバンド）
【図１】
2019171980.tif 000003
【図２】
2019171980.tif 000004
【図３】
2019171980.tif 000005
【図４】
2019171980.tif 000006
【図５】
2019171980.tif 000007
【図６】
2019171980.tif 000008
【図７】
2019171980.tif 000009
【図８】
2019171980.tif 000010
【図９】
2019171980.tif 000011
【国際調査報告】
2019171980.tif 000012
2019171980.tif 000013
2019171980.tif 000014